(57)【特許請求の範囲】
【請求項１】
壁体に基礎を介して取り付けられる戸当りと、該戸当りに昇降自在に嵌入される扉体とを備えた制水扉を水路に設置するに当たり、
（１）扉体を全閉状態とし、壁体と戸当りとの間に水を通過させる隙間を形成するようにして制水扉の位置決め調整を行い、壁体側に取り付けたボルト及びナットにより制水扉を固定する工程
（２）扉体を開状態にして、壁体と戸当りとの間に基礎として水中モルタルを打設する工程
をその順序で行うことを特徴とする制水扉の不断水設置工法。
【発明の詳細な説明】
【０００１】
【発明の属する技術分野】
本発明は、制水扉の不断水設置工法に関するものである。
【０００２】
【従来の技術】
上下水道の水路や灌漑用水路などに流路を開放或いは閉止するために設置される制水扉は、一般に図５および図８に示すように、縦溝３２，３２を有する一対の縦枠部３１，３１を形成し、双方の縦溝３２，３２が対向するように構成された戸当り３３と、この戸当り３３に前記縦溝３２，３２をガイドとして昇降自在に嵌入される扉体３４と、を備えた構造からなる。扉体３４は図示しない開閉機により昇降するようになっている。また通常、戸当り３３および扉体３４は鋳鉄（ＦＣ２００）製等である。本制水扉の場合、左右の縦枠部３１は上下の横枠部３５により連結され、これら左右の縦枠部３１と上下の横枠部３５に囲まれた部位が水を通過させる矩形状の開口部３３ａ（図６）となっている。
【０００３】
図６〜図８に示すように、左右の縦枠部３１の前面および上下の横枠部３５の前面には戸当り止水板３６が固着され、この戸当り止水板３６に対応する扉体３４の上下左右の側縁後面には扉体止水板３７が固着される。そして、戸当り３３側においては、下部側前面に、押え板４３を介して、傾斜面を有する楔型固着具３８が取り付けられ、扉体３４側においては、その両側縁の前面における前記楔型固着具３８に対応する位置に楔型部材３９が取り付けられる。この楔型部材３９と楔型固着具３８とは、扉体３４を下降させたとき相互の傾斜面が摺接し、扉体３４を後側に押し遣る。そして、扉体３４が完全に閉止したとき、扉体３４を戸当り３３に押さえ付け、前記戸当り止水板３６と扉体止水板３７とが密着して止水性を保持する。なお、符号４５は、扉体３４が下降した全閉状態時において扉体３４の底部に当接するストッパである。
【０００４】
前記戸当り３３は、その後面に注入、養生させるモルタル等の基礎Ｇに一体的に固設され、且つアンカーボルト４０およびナット４４で締結されることにより、水路を構成する壁体Ｆに対しての取り付けがなされる。アンカーボルト４０は例えば図８に示すように、補助筋４１を介して壁体Ｆの鉄筋４２に固定されるものである。一般に、コンクリート等からなる壁体Ｆは直角度等においてその精度が悪く、例えばボルト締結等で戸当り３３を壁体Ｆに直接取り付けると、開閉機との芯出しが狂い、扉体３４が昇降しなくなってしまう。そのため、戸当り３３の垂直度等の位置調整を行った後に基礎Ｇを介在させて壁体Ｆに固設するという構造になるわけである。
【０００５】
【発明が解決しようとする課題】
既設の制水扉の老朽化に伴い新規な制水扉に交換する交換工事等においては、下流側に位置する処理系の機能を停止させることのないよう、常に水路に水を流した状態（不断水）として工事を行うことが望ましい。そして、この不断水の状態で制水扉を設置する方法としては、
（１）戸当りのみを先に壁体に取り付け、扉体を後から戸当りに嵌入する。
（２）扉体を戸当りに嵌入し、扉体を開いた状態としながら戸当りを壁体に取り付ける。
等の方法が考えられる。
【０００６】
しかし、前記（１），（２）の方法のように、扉体を戸当りから外した状態、又は扉体を開いた状態として取り付け工事を行った場合には、前記制水扉の場合を例にとると、微妙な位置ずれ等に起因して扉体３４を再び下降して閉じたときには前記戸当り止水板３６と扉体止水板３７との間の止水性が悪くなるという問題がある。また、取り付け作業中にはスキミの確認や前記したストッパ４５の調整等、扉体３４の全閉状態でないとできない作業もある。そのため、従来においては、制水扉は必ず工場出荷の状態（扉体が戸当りに全閉状態として組み込まれた状態）のままで取り付けるという方法が採られており、水路においては上流側で一旦水の流れを堰き止めて制水扉の取り付けを行うという作業形態が採られていた。したがってこの間、下流側に水が流れず、下流側の処理系の機能が停止してしまうという問題があった。
【０００７】
本発明は、このような問題を解決するために創作されたものであり、不断水状態での設置が可能となる制水扉の不断水設置工法を提供することを目的としている。
【０００８】
【課題を解決するための手段】
本発明は前記課題を解決するため、壁体に基礎を介して取り付けられる戸当りと、該戸当りに昇降自在に嵌入される扉体とを備えた制水扉を水路に設置するに当たり、（１）扉体を全閉状態とし、壁体と戸当りとの間に水を通過させる隙間を形成するようにして制水扉の位置決め調整を行い、壁体側に取り付けたボルト及びナットにより制水扉を固定する工程、（２）扉体を開状態にして、壁体と戸当りとの間に基礎として水中モルタルを打設する工程、をその順序で行うようにした。
【０００９】
【発明の実施の形態】
本発明について図１及び図２を基に説明する。本発明において制水扉Ａの基本的構成は例えば従来技術で述べた制水扉とほぼ同一であり、縦溝２，２を有する一対の縦枠部１，１を形成し、双方の縦溝２，２が対向するように構成された戸当り３と、この戸当り３に前記縦溝２，２をガイドとして昇降自在に嵌入される扉体４と、を備えた構造からなる。扉体４は上方に位置した開閉機（図示せず）により昇降するようになっている。戸当り３および扉体４は鋳鉄（ＦＣ２００）製等である。制水扉Ａの下部においては、左右の縦枠部１，１と上下の横枠部により囲まれた矩形状の開口部が形成されており、扉体４が下降しきったときに該開口部を閉じるようになっている。
【００１０】
左右の縦枠部１の前面および上下の横枠部の前面には戸当り止水板６が固着され、この戸当り止水板６に対応する扉体４の上下左右の側縁後面には扉体止水板７が固着される。そして、戸当り３側においては、下部側前面に、押え板５を介して、傾斜面を有する楔型固着具８が取り付けられ、扉体４側においては、その両側縁の前面における前記楔型固着具８に対応する位置に楔型部材９が取り付けられる。この楔型部材９と楔型固着具８とは、扉体４を下降させたとき相互の傾斜面が摺接し、扉体４を後側に押し遣る。そして、扉体４が完全に閉止したとき、扉体４を戸当り３に押さえ付け、前記戸当り止水板６と扉体止水板７とが密着して止水性を保持する。
【００１１】
本発明は、制水扉Ａを水を流した状態の水路に設置するに当たり、（１）扉体４を全閉状態とし、壁体Ｆと戸当り３との間に水を通過させる隙間を形成するようにして制水扉Ａの位置決め調整を行い、壁体Ｆ側に取り付けたボルト及びナットにより制水扉Ａを固定する工程及び（２）扉体４を開状態にして、壁体Ｆと戸当り３との間に基礎Ｇとして水中モルタルを打設する工程をその順序で行うことを特徴とするものである。
【００１２】
制水扉Ａを例えば、水路に水を流した状態において壁体Ｆに設置する場合について説明する。図１に示す態様は、壁体Ｆに予め水中作業等にて複数の特殊ナット１０を固設させておく場合を示す。壁体Ｆの鉄筋１１には補助筋１２が固設されており、特殊ナット１０はそのナット部１０ａが壁体Ｆから制水扉Ａの取り付け側に向けて突出するようにして軸部１０ｂが前記補助筋１２に固設される。ナット部１０ａにはねじ軸のみからなるゲート固定ボルト１３（請求項に記載のボルトに相当する）が螺合される。そして、各ゲート固定ボルト１３にはナット１４が螺合されている。このナット１４は制水扉Ａの位置決め調整の役目を担う部材である。本態様においては、制水扉Ａは埋設固定板１５にボルト（図示せず）等により固定されており、この埋設固定板１５の後面をナット１４に押し当てつつ各ゲート固定ボルト１３に対するナット１４の螺合位置を適宜に調整することにより制水扉Ａの正確な位置決め調整がなされるようになっている。なお勿論、埋設固定板１５を設けることなく直接戸当り３の後面をナット１４に押し当てて取り付ける構造（例えば、図８に示した構造等）にすることも可能である。
【００１３】
制水扉Ａの位置決め調整の間、扉体４は全閉状態であり、作業者は位置決め調整の他、スキミの確認やストッパ（図５に示すストッパ４５等）の高さ調整等を行う。制水扉Ａの位置決め調整等が終了したら、ナット１６（請求項に記載のナットに相当）を各ゲート固定ボルト１３に締結することにより、埋設固定板１５つまり制水扉Ａを固定する。そして、以上の工程の間、水は矢印にて示すように、壁体Ｆの前面と埋設固定体１５（戸当り３）の後面との間に形成される隙間を通過して下流側に流れることとなり、これにより扉体４を工場出荷時の全閉状態としたまま、すなわち、前記戸当り止水板６と扉体止水板７とによる止水性能を工場出荷時の状態として維持したままでの制水扉の不断水設置が実現されることとなる。
【００１４】
以上の工程が終わったら扉体４を開状態とし、型枠を仮設して図２に示すように前記隙間の部位に基礎Ｇとして水中モルタルを打設する。以降、水は開状態となった制水扉Ａから下流側に流れることとなる。
【００１５】
なお、前記特殊ナット１０としては、図３に示すように、壁体Ｆを削孔し、当該孔Ｆａ内に接着剤を充填して固定された接着系アンカー（ケミカルアンカー）とすることもできる。また、埋設固定板１５において前記ゲート固定ボルト１３用の貫通孔１５ａを大径孔や長孔等にすることにより、制水扉Ａの左右方向の位置調整も容易に行えるようになる。なお、符号１７は座金を示す。
【００１６】
また、壁体Ｆに対する制水扉Ａの固定態様としては、図４に示すように、ケミカルアンカー１８と、補助筋１２に溶接された特殊ナット１０とを併用する構成としても良い。
【００１７】
以上、本発明について好適な実施形態を説明したが、本発明はこれらの実施形態に限られることなく、その趣旨を逸脱しない範囲で、適宜設計変更が可能である。
【００１８】
【発明の効果】
本発明によれば、簡単な構造であって、扉体を全閉状態としたままで、つまり扉体の止水性を損ねることなく、制水扉の不断水設置を構築できる。
【図面の簡単な説明】
【図１】本発明に係る制水扉の取り付け構造を示す平断面図である。
【図２】図１において水中モルタルを打設した場合を示す平断面図である。
【図３】本発明の変形例を示す平断面図である。
【図４】本発明の他の変形例を示す平断面図である。
【図５】一般的な制水扉の構造を示す正面図である。
【図６】一般的な制水扉の構造を示す縦断側面図である。
【図７】一般的な制水扉の構造を示す部分斜視図である。
【図８】一般的な制水扉の構造を示す平断面図である。
【符号の説明】
Ａ      制水扉
３      戸当り
４      扉体
６      戸当り止水板
７      扉体止水板
１０      特殊ナット
１３      ゲート固定ボルト
１５      埋設固定板
１６      ナット
【図１】
0004256579.tif 000002
【図２】
0004256579.tif 000003
【図３】
0004256579.tif 000004
【図４】
0004256579.tif 000005
【図５】
0004256579.tif 000006
【図６】
0004256579.tif 000007
【図７】
0004256579.tif 000008
【図８】
0004256579.tif 000009